(57)【要約】【解決手段】本発明は、デッキp １に、グロメットＧが配設されている合成樹脂製パレットＰにおいて、前記デッキ周辺ｐ１ａに配設されているデッキ周辺グロメットＧ１のデッキの上面ｐ１ｂからの突出量Ｈ１を、デッキ中央寄りグロメットＧ２のデッキの上面からの突出量Ｈ２より、低く構成したものである。【効果】前記デッキ周辺に配設されているデッキ周辺グロメットのデッキの上面からの突出量を、デッキ中央寄りグロメットのデッキの上面からの突出量より、低く構成したので、デッキから荷物を降ろ際に、或いは、デッキへ荷物を積載する際に、荷物が、デッキの上面に配設されたデッキ周辺グロメットに引っ掛かり、荷物の円滑な積み下ろしや積載が阻害されるようなことを防止することができる。【選択図】図２
2012006633.tif 000002
【特許請求の範囲】
【請求項１】
デッキに、グロメットが配設されている合成樹脂製パレットにおいて、前記デッキ周辺に配設されているデッキ周辺グロメットのデッキの上面からの突出量が、デッキ中央寄りグロメットのデッキの上面からの突出量より、低く構成されていることを特徴とする合成樹脂製パレット。
【発明の詳細な説明】
【技術分野】
【０００１】
本発明は、荷物の保管や運搬や搬送に使用する合成樹脂製パレットに関するものである。
【背景技術】
【０００２】
従来、合成樹脂製パレットのデッキに、デッキに載置された荷物が、運搬中や搬送中に、滑って移動しないように、デッキに、デッキの上面から突出した複数のグロメットを配設した合成樹脂製パレットが、一例として、特許文献１に開示されている。
【先行技術文献】
【特許文献】
【０００３】
【特許文献１】特開平８ー２５８８４１号公報
【発明の概要】
【発明が解決しようとする課題】
【０００４】
上述した特許文献１に開示されている合成樹脂製パレットにおいては、デッキ面から突出しているグロメットの突出量が、全てのグロメットにおいて同じように構成されている。
【０００５】
ところで、合成樹脂製パレットのデッキ面に載置されている荷物を、合成樹脂製パレットから降ろす際には、荷物を、デッキ面上を滑らせながら、デッキ面から降ろしたり、或いは、合成樹脂製パレットのデッキ面に積載する際にも、デッキ面上を滑らせながら、デッキ面に積載することが行われている。
【０００６】
しかしながら、従来の合成樹脂製パレットにおいては、デッキ面から突出しているグロメットの突出量が、全てのグロメットにおいて同じであるので、デッキ面から、デッキ面上を滑らせながら、荷物を降ろ際に、荷物が、デッキ面の周辺部に配設されたグロメットに引っ掛かり、荷物の円滑な積み下ろしができないという問題があった。
【０００７】
また、荷物を、デッキ面に積載する場合にも、荷物が、デッキ面の周辺に沿って配設されたグロメットに引っ掛かり、荷物の円滑な積載を行うことができないという問題があった。
【０００８】
本発明の目的は、上述した従来の合成樹脂製パレットが有する課題を解決することにある。
【課題を解決するための手段】
【０００９】
本発明は、上述した目的を達成するために、デッキに、グロメットが配設されている合成樹脂製パレットにおいて、前記デッキ周辺に配設されているデッキ周辺グロメットのデッキの上面からの突出量を、デッキ中央寄りグロメットのデッキの上面からの突出量より、低く構成したものである。
【発明の効果】
【００１０】
デッキに、グロメットが配設されている合成樹脂製パレットにおいて、前記デッキ周辺に配設されているデッキ周辺グロメットのデッキの上面からの突出量を、デッキ中央寄りグロメットのデッキの上面からの突出量より、低く構成したので、デッキから荷物を降ろ際に、或いは、デッキへ荷物を積載する際に、荷物が、デッキの上面に配設されたデッキ周辺グロメットに引っ掛かり、荷物の円滑な積み下ろしや積載が阻害されるようなことを防止することができる。
【図面の簡単な説明】
【００１１】
【図１】図１は、本発明の合成樹脂製パレットの全体斜視図である。
【図２】図２は、本発明の合成樹脂製パレットの部分拡大斜視図である。
【図３】図３は、本発明の合成樹脂製パレットを構成するグロメットが、グロメット嵌着凹部に嵌着された状態を示す垂直断面図である。
【図４】図４は、同じく、本発明の合成樹脂製パレットを構成するグロメットが、グロメット嵌着凹部に嵌着された状態を示す垂直断面図である。
【図５】図５は、本発明の合成樹脂製パレットを構成するグロメットが、グロメット嵌着凹部の上方に位置する状態を示す垂直断面図である。
【実施例】
【００１２】
図１に示されている合成樹脂製パレットＰのデッキｐ１には、周知のように、複数のグロメットＧが配設されている。
【００１３】
合成樹脂製パレットＰのデッキｐ１に配設されたグロメットＧは、デッキｐ１の周辺ｐ１ａに近接して配設されたデッキ周辺グロメットＧ１と、該デッキ周辺グロメットＧ１より、デッキｐ１の内側に配設されたデッキ中央寄りグロメットＧ２とから構成されている。
【００１４】
本発明においては、図３及び図４に示されているように、上述したデッキ周辺グロメットＧ１のデッキｐ１の上面ｐ１ｂからの突出量Ｈ１が、デッキ中央寄りグロメットＧ２のデッキｐ１の上面ｐ１ｂからの突出量Ｈ２より、低く構成されている。
【００１５】
デッキ周辺グロメットＧ１とデッキ中央寄りグロメットＧ２とは、周知のように、共に、デッキｐ１の上面ｐ１ｂに穿設されたグロメット嵌着凹部ｐ２に、嵌着されように構成されている。本実施例においては、グロメットＧのデッキ周辺グロメットＧ１とデッキ中央寄りグロメットＧ２とには、共に．グロメット嵌着凹部ｐ２の底面ｐ２ａの中央部に突設された突出部ｐ２ｂに嵌合される嵌合透孔ｇ１が穿設されている。
【００１６】
デッキ周辺グロメットＧ１のデッキｐ１の上面ｐ１ｂからの突出量Ｈ１を、デッキ中央寄りグロメットＧ２のデッキｐ１の上面ｐ１ｂからの突出量Ｈ２より、低く構成するためには、デッキ周辺グロメットＧ１が嵌合されるグロメット嵌着凹部ｐ２のデッキｐ１の上面ｐ１ｂからグロメット嵌着凹部ｐ２の底面ｐ２ａまでの深さＤ１を、デッキ中央寄りグロメットＧ２が嵌合されるグロメット嵌着凹部ｐ２のデッキｐ１の上面ｐ１ｂからグロメット嵌着凹部ｐ２の底面ｐ２ａまでの深さＤ２より、深くすることにより．デッキ周辺グロメットＧ１のデッキｐ１の上面ｐ１ａからの突出量Ｈ１を、デッキ中央寄りグロメットＧ２のデッキｐ１の上面ｐ１ｂからの突出量Ｈ２より、低くすることができる。
【００１７】
なお、デッキ周辺グロメットＧ１のデッキｐ１の上面ｐ１ｂからの突出量Ｈ１を、デッキ中央寄りグロメットＧ２のデッキｐ１の上面ｐ１ｂからの突出量Ｈ２より、低く構成するためには、グロメット嵌着凹部ｐ２を同じとし、デッキ周辺グロメットＧ１の高さを、デッキ中央寄りグロメットＧ２の高さより、高くすることにより、デッキ周辺グロメットＧ１のデッキｐ１の上面ｐ１ｂからの突出量Ｈ１を、デッキ中央寄りグロメットＧ２のデッキｐ１の上面ｐ１ｂからの突出量Ｈ２より、低くすることもできる。
【００１８】
上述したように、デッキ周辺グロメットＧ１のデッキｐ１の上面ｐ１ｂからの突出量Ｈ１を、デッキ中央寄りグロメットＧ２のデッキｐ１の上面ｐ１ｂからの突出量Ｈ２より、低く構成したことにより、デッキｐ１から、荷物を降ろ際に、或いは、デッキｐ１へ荷物を積載する際に、荷物が、デッキｐ１の上面ｐ１ｂに配設されたデッキ周辺グロメットＧ１に引っ掛かり、荷物の円滑な積み下ろしや積載が阻害されるようなことを防止することができる。
【符号の説明】
【００１９】
Ｐ・・・・・・・・・・・合成樹脂製パレット
ｐ１・・・・・・・・・・デッキ
ｐ１ａ・・・・・・・・・デッキの周辺
ｐ１ｂ・・・・・・・・・デッキの上面
Ｇ１・・・・・・・・・・デッキ周辺グロメット
Ｇ２・・・・・・・・・・デッキ中央寄りグロメット
【図１】
2012006633.tif 000003
【図２】
2012006633.tif 000004
【図３】
2012006633.tif 000005
【図４】
2012006633.tif 000006
【図５】
2012006633.tif 000007